(57)【要約】【課題】  従来の太陽光発電システムの実施方法では、建物屋根上の実施例について、建物屋根上の面積が限られる、建物の美観を損ねるなどの不都合、はめ殺しのガラス中の実施例について、壁に太陽電池モジュールを設けるのと大差ないという不都合、ガラス中の発光ダイオードを発光させる実施例について、発電の効果が限定的であるという不都合などが認められるので、これらの不都合を解決することを課題とする。【解決手段】  開閉可能な戸又は窓に太陽電池セルを配列し、太陽電池モジュールとして設置し、その太陽電池モジュールで発生した電流を電磁誘導による無接点方式などで、逆流防止ダイオード又は太陽電池充放電制御器を介し、バッテリー及びインバーターなどに送電することにより、この課題を解決する。【選択図】  図１
2005191578.tif 000002
【特許請求の範囲】
【請求項１】
開閉可能な戸又は窓に太陽電池セルを配列し、太陽電池モジュールとして設置し、その太陽電池モジュールで発生した電流を電磁誘導による無接点方式又は導線を利用することで、逆流防止ダイオード又は太陽電池充放電制御器を介し、バッテリー及びインバーターなどに送電することを特徴とする太陽光発電システム。
【発明の詳細な説明】
【技術分野】
【０００１】  本発明は、太陽光発電システムに関するものであり、開閉可能な戸又は窓に太陽電池セルを配列し、太陽電池モジュールとして設置し、その太陽電池モジュールで発生した電流を電磁誘導による無接点方式又は導線を利用することで、逆流防止ダイオード又は太陽電池充放電制御器を介し、バッテリー及びインバーターなどに送電することにより、新たな太陽光発電の実施例を生み出し、太陽光発電システム全体の発電量を増加させるものである。
【背景技術】
【０００２】  従来から、太陽光発電システムとして、建物の屋根上などに太陽電池モジュールを設置する実施例、はめ殺しのガラスの中に太陽電池セルを封入した実施例及び、ガラスの中に太陽電池セルとともに発光ダイオードを封入し発電した電気で同ダイオードを発光させる実施例などがある。
【発明の開示】
【発明が解決しようとする課題】
【０００３】  しかし、従来の実施方法では、建物屋根上の実施例について、建物屋根上の面積が限られる、建物の美観を損ねるなどの不都合、はめ殺しのガラス中の実施例について、壁に太陽電池モジュールを設けるのと大差ないという不都合、ガラス中の発光ダイオードを発光させる実施例について、発電の効果が限定的であるという不都合などが認められる。【０００４】  本発明は、開閉可能な戸又は窓に太陽電池セルを配列し、太陽電池モジュールとして設置し、活用することにより、これらの不都合を解決することを課題とする。
【課題を解決するための手段】
【０００５】  この課題を解決するため本発明は、開閉可能な戸又は窓に太陽電池セルを配列し、太陽電池モジュールとして設置し、その太陽電池モジュールで発生した電流を電磁誘導による無接点方式又は導線を利用することで、逆流防止ダイオード又は太陽電池充放電制御器を介し、バッテリー及びインバーターなどに送電することを特徴とする太陽光発電システムである。
【発明の効果】
【０００６】  本発明により、太陽電池モジュールは、建物の外観を損ねることなく、かつ、戸や窓など実施可能な箇所の面積を拡大することが出来るほか、太陽電池により発電された電力を一般の電化製品などに利用することが可能となる。
【発明を実施するための最良の形態】
【０００７】  以下、本発明の実施の形態を図面に基づき詳細に説明する。【０００８】  図１は、本発明の第１の実施形態、すなわち、開閉可能な戸又は窓に太陽電池セルを配列し、太陽電池モジュールとして設置し、その太陽電池モジュールで発生した電流を電磁誘導による無接点方式で、逆流防止ダイオード又は太陽電池充放電制御器を介し、バッテリー及びインバーターなどに送電することを特徴とする太陽光発電システムの実施例である。【０００９】  図１に示すように、本太陽光発電システムは、戸又は窓（１）に太陽電池セル（２）を配列し、太陽電池モジュール（３）として設置する。【００１０】  その太陽電池モジュール（３）で発生した電流を電磁誘導による無接点方式で、逆流防止ダイオード又は太陽電池充放電制御器（４）を介し、バッテリー（５）及びインバーター（６）などに送電する。【００１１】  すなわち、開閉可能な戸又は窓の側に励磁コイル（７）を設け、太陽電池モジュール（３）で発生した電流を通すことで磁場を発生させ、建物又はサッシ側に設けた検出コイル（８）で検出し誘導電流を発生させることで、逆流防止ダイオード又は太陽電池充放電制御器（４）を介し、バッテリー（５）及びインバーター（６）などに送電するのである。【００１２】  このような電磁誘導による無接点の送電方式は、防水性や防塵性に優れ、太陽電池モジュールを開閉可能な戸又は窓に利用するのに適している。【００１３】  図２は、本発明の第２の実施形態、すなわち、開閉可能な戸又は窓に太陽電池セルを配列し、太陽電池モジュールとして設置し、その太陽電池モジュールで発生した電流を導線を利用することで、逆流防止ダイオード又は太陽電池充放電制御器を介し、バッテリー及びインバーターなどに送電することを特徴とする太陽光発電システムの実施例である。【００１４】  図２に示すように、本太陽光発電システムは、戸又は窓（９）に太陽電池セル（１０）を配列し、太陽電池モジュール（１１）として設置する。【００１５】  その太陽電池モジュール（１１）で発生した電流を導線（１２）を利用することで、逆流防止ダイオード又は太陽電池充放電制御器（１３）を介し、バッテリー（１４）及びインバーター（１５）などに送電する。【００１６】  すなわち、開閉可能な戸又は窓の側と建物又はサッシ側の間を導線（１２）で接続することで、逆流防止ダイオード又は太陽電池充放電制御器（１３）を介し、バッテリー（１４）及びインバーターなど（１５）に送電するのである。【００１７】  なお、開閉可能な戸又は窓の側と建物又はサッシ側の間を導線（１２）で接続する場合、導線は、戸又は窓の開閉に伴い、窓の側又は建物若しくはサッシ側に収納可能な構造で常時接続した状態を維持する構造であると、戸又は窓の開閉に伴い、切断若しくは一定の開閉状況でのみ接続した状態を維持する構造であるとを問わないものとする。【００１８】  また、本発明の目的は、開閉可能な戸又は窓に太陽電池セルを配列し、太陽電池モジュールとして設置可能とすることにあり、一般的な太陽光発電システムが、発明の実施者が必要とする電圧や電力の量に応じて、逆流防止ダイオード、太陽電池充放電制御器、バッテリー及びインバーターなどの全部又は一部を適宜省略出来るのと同様に、本発明においても、前記逆流防止ダイオード、太陽電池充放電制御器、バッテリー及びインバーターなどの全部又は一部を適宜省略してもよい。
【産業上の利用可能性】
【００１９】  本発明は、一般住宅、マンションのみならず、オフィスビル、工場及び公共の建物などあらゆる建造物に太陽光発電システムを提供することを可能とするもので、産業上広く利用可能である。
【図面の簡単な説明】
【００２０】
【図１】  本発明の第１の実施形態に係る太陽光発電システムの模式図である。
【図２】  本発明の第２の実施形態に係る太陽光発電システムの模式図である。
【符号の説明】
１、９      戸又は窓
２、１０    太陽電池セル
３、１１    太陽電池モジュール
４、１３    逆流防止ダイオード又は太陽電池充放電制御器
５、１４    バッテリー
６、１５    インバーター
７          励磁コイル
８          検出コイル
１２        導線
【図１】
2005191578.tif 000003
【図２】
2005191578.tif 000004